(57)【要約】【課題】バネにて梯子本体が軽く持ち上がって梯子本体の姿勢の変更が労力なしに行えるのは勿論、バネを梯子本体の梯子桁の側下方に設置することにより、アルミニウムや木材の梯子であっても梯子桁に強度の劣化を来たすことなく安全に使用できるロフト用梯子を提供する。【解決手段】階下の床面と階上の床面との間の壁面の上部または階上の床面に取り付けられる支持部と、前記壁面に対して立て掛けた状態で下端部を階下の床面に設置する使用姿勢と前記壁面に近接してほぼ垂直になる収納姿勢の間の任意の角度に回動自在に梯子本体を連結し、梯子本体を支持部に対して上方に引き上げられるように付勢するバネを梯子本体の梯子桁の側下方に配設した。【選択図】        図１
2006183259.tif 000002
【特許請求の範囲】
【請求項１】
階下の床面と階上の床面との間の壁面の上部または階上の床面に取付けられた支持部に、前記壁面に対して傾けて立て掛けた状態で下端部が階下の床面に接する使用姿勢と、前記壁面に近接してほぼ垂直な収納姿勢との間の任意の角度に回動自在に梯子本体の上端部を連結し、梯子本体が上方に引き上げられるように付勢するバネを梯子本体の梯子桁上端部の側下方に沿って装着したことを特徴とするロフト用梯子。
【請求項２】
階下の床面と階上の床面との間の壁面の上部または階上の床面に取付けられた支持部に、前記壁面に対して傾けて立て掛けた状態で下端部が階下の床面に接する使用姿勢と、前記壁面に近接してほぼ垂直な収納姿勢との間の任意の角度に回動自在に梯子本体の上端部を連結し、梯子本体が上方に引き上げられるように付勢するバネを梯子本体の梯子桁上端部の側下方に沿って装着し、リンクと梯子本体との枢支部がリンクと壁面との枢支部に比して常に高く位置し、かつ当該リンクと梯子本体との枢支部が梯子本体の使用姿勢での高さよりも梯子本体の垂直収納状態で高い位置になるように、梯子本体と壁面とをリンクで連結したことを特徴とするロフト用梯子。
【請求項３】
バネを装着するガイドを梯子本体の上部手摺の一部に一体的に設けたことを特徴とする請求項１乃至２に記載のロフト用梯子。
【請求項４】
複数本の桁素材を接合して梯子桁を構成し、梯子桁のその接合部分に掛渡すように中間手摺を装着したことを特徴とする請求項１乃至３に記載のロフト用梯子。
【請求項５】
リンクの壁面寄りの端部に長孔を施してこの長孔に当該壁寄りの枢支部にその長孔を遊嵌し、梯子本体を壁面に近接させた収納状態で、リンク下端の上記枢支部よりの下方への垂下突出寸法が壁面との間隙よりも大きくなるようにしたことを特徴とする請求項２乃至４に記載のロフト用梯子。
【発明の詳細な説明】
【技術分野】
【０００１】
本発明は、中二階等の階上とその階下とを行き来するの使用するロフト用梯子に関する。
【背景技術】
【０００２】
建物の内部空間を有効活用して住宅の多機能化の要請に対応するために、天井の上方に屋根裏部屋を設けて物置にしたり、部屋の内部に中二階部屋を設けて寝室にすることが行われており、このような屋根裏部屋や中二階部屋（以下これらロフトと称する）を設ける場合、ロフトと階下室との間を行き来するための梯子が必要となる。かかる梯子としては、上部に上下二段のフックが設けられた梯子本体と、壁面の上部に固定され且つフックが着脱自在に係止される取り付けパイプとから構成されたものが既に知られている。
【０００３】
この従来のロフト用梯子は、上段側のフックを壁面側の取り付けパイプに引っ掛けて梯子本体を壁面に斜めに立て掛けて使用され、また不要時には、下段側のフックを前記取り付けパイプに引掛けて梯子本体を壁面に近接させて垂直状態に吊り下げることにより、壁面側に収納できるようになっている。しかし、この従来のロフト用梯子では、梯子本体を立掛けた状態の使用姿勢から不要時の収納姿勢に切換えるには、梯子本体を自力で持上げて上段側のフックから下段側のフックに掛直す必要がり、梯子本体を姿勢変更する作業が非常に重労働で且つ面倒であるという欠点があった。
【０００４】
そこで、梯子本体を持上げるとき軽く持上げることができて梯子本体の姿勢変更を行えるようにしたロフト梯子が既に開発されている。これは、壁面に固定された支持部とこの支持部に対して上部が上下方向に移動自在且つ回転自在に連結された梯子本体とを具備し、梯子本体が上方に軽く持上がるように付勢するために梯子桁内にバネを収納配置したものである。
【０００５】
【特許文献１】特開２００４−３０８３３２号公報
【発明の開示】
【発明が解決しようとする課題】
【０００６】
上記従来例では、梯子桁に溝や長孔を設けるものであるため、昇り降りに際し大きな重量が加わる桁部分の強度を劣化させる惧れがあり、しかも細い梯子桁に組み込むためにはそのサイズに制約を受け、大きなバネを採用し難くなり、軽量なアルミニウムや木材の梯子には適用し辛いものであった。そして、このようなロフト梯子にあっては、その重量が階下の床面と階上の床面との間の壁面の上部または階上の床面に取り付けられる支持部に梯子本体の上端部が支持されるため、人の昇り降りに際し、当然梯子本体の上端部に荷重が集中することになるが、この上端部が他の部分より強度が劣化する構造では、安全性の点で極めて大きな問題があった。
【０００７】
また、この従来のものは梯子本体の使用姿勢から垂直収納姿勢に至るまで梯子本体を持ち上げる力を抜くと常に梯子桁の下端が階下の床面に当接するものであって、床面に引き摺りや当接傷を生じやすい欠点があった。
【０００８】
本発明は上記の点に鑑みて研究の結果完成されたものであり、バネにて梯子本体が軽く持ち上がって梯子本体の姿勢の変更が労力なしに行えるのは勿論、バネ力を付与するに当って梯子本体の強度に劣化を来たす惧れがなく、軽量なアルミニウムや木材素材の梯子にも安心して使用できる安全性の高いロフト用梯子を提供するものである。
【課題を解決するための手段】
【０００９】
上記課題を解決するため、本発明は、階下の床面１と階上の床面２との間の壁面３の上部または階上の床面２に取付けられた支持部４に、前記壁面３に対して傾けて立て掛けた状態で下端部が階下の床面１に接する使用姿勢と、前記壁面３に近接してほぼ垂直な収納姿勢との間の任意の角度に回動自在に梯子本体５の上端部を連結し、梯子本体５が上方に引き上げられるように付勢するバネ６を装着するに当たり、梯子本体５の梯子桁７上端部の側下方に沿って装着したことを主たる特徴とする。
【００１０】
また、上記に加えて、リンクと梯子本体との枢支部がリンクと壁面との枢支部に比して常に高く位置し、かつ当該リンクと梯子本体との枢支部が梯子本体の使用姿勢での高さよりも梯子本体の垂直収納状態で高い位置になるように、梯子本体と壁面とをリンクで連結したことを第２の特徴とする。
【発明の効果】
【００１１】
上記のように床面１と壁面３の上部または床面２に取り付けられた支持部４と、前記壁面３に対して立て掛けた状態で下端部を床面１に接する使用姿勢と前記壁面２に近接してほぼ垂直な収納姿勢の間の任意の角度に回動自在に梯子本体５を連結したものであって、梯子本体５を支持部４に対して上方に引上げられるように付勢するバネ６を装着したから、バネ６によって梯子本体５を持ち上げるときに軽く持ち上がり、梯子本体５の姿勢変更が労力なしに行える。
【００１２】
しかもバネ６を梯子本体５の梯子桁７上端部の側下方に沿って装着したので、梯子桁７は溝や長孔のように梯子桁の一部を欠損する加工が不要であり、従ってそのような加工により強度に劣化を来たす惧れがなく、強度が大きくないアルミニウムや木材の梯子であっても或いは細くて強度が比較的小さな梯子桁７であっても問題なく適用できる利点がある。
【００１３】
そしてその重量が階下の床面１と階上の床面２との間の壁面３の上部または階上の床面２に取り付けられる支持部４に梯子本体５の上端部が支持されるため、人の昇り降りに際し、当然梯子本体５の上端部に荷重が集中することになるが、上記のように梯子本体５の上部に強度が劣化することがないので、軽量な子供は勿論、体重の大きな大人であっても安心して昇り降りが出来る安全性を確保できるものである。
【００１４】
更に、梯子本体５と壁面３とをリンク１９で連結すると共に、その際に、リンク１９と梯子本体５との枢支部Ａがリンク１９と壁面３との枢支部Ｂに比して常に高く位置し、かつ当該リンク１９と梯子本体５との枢支部Ａが梯子本体５の使用姿勢での高さよりも梯子本体５の垂直収納状態で高い位置になるようにしておけば、梯子本体５を軽く持ち上げたり、リンク１９にレバー２０を連設した場合はそのレバー２０を操作するなどすることにより、梯子本体５が壁面３に近付いて垂直に収納され、併せて梯子本体５の下端が床面１より浮上して保持されることになり、収納作業がより一層軽快に行なえると共に、梯子本体の収納作業時に床面を引摺って傷つけたり、垂直時に設置跡を残したりする惧れもないのである。
【００１５】
また、バネを装着するガイドを梯子本体の上部手摺の一部に一体的に設けた場合には、上部手摺時にバネを装着するためのガイドを併せて確保することができて、組立ての簡略化を図ることができる。
【００１６】
複数本の桁素材を接合して梯子桁を構成し、梯子桁のその接合部分に掛渡すように中間手摺を装着しておけば、長尺サイズの梯子であっても安価な短尺材を使用してコストダウンを図るとともに、接合部の強度の劣化を防止できる。
【００１７】
リンクの壁面寄りの端部に長孔を施してこの長孔に当該壁寄りの枢支部にその長孔を遊嵌し、梯子本体を壁面に近接させた収納状態で、リンク下端の上記枢支部よりの下方への垂下突出寸法が壁面との間隙よりも大きくなるようにしておけば、梯子に収納時に梯子本体が浮き上がった状態でロックされ、誤って降下することが防止でき、安全を確保できる。
【発明を実施するための最良の形態】
【００１８】
梯子本体５は図１、２のように左右両側に平行に立設した梯子桁７間に上下に間隔を隔てて複数の踏み板１０を配置し、踏み板１０の両端を梯子桁７に結合して組立てられる。梯子桁７は木材、アルミニウムパイプ材等で形成されていて、梯子桁７が長尺サイズの場合は、何本かの桁素材７Ａ、７Ｂを接合することができる。この場合、接合部分は蝶番１２で折り畳み自在とし、中間手摺１１でロックするようにすることもできる。桁素材間の接合は継手により行なっても良いし、３本以上の桁素材を接合しても勿論構わない。
【００１９】
図３から図５は梯子桁７が２本の桁素材７Ａ、７Ｂを接合して形成された例を示すもので、図３は施工前の二つ折りの状態を示す。桁素材７Ａ、７Ｂを接合する蝶番１２は蝶番半体１２Ａ、１２Ｂをボルト・ナット等で構成される軸部１２３で回動自在に軸着して構成されるもので、蝶番半体１２Ａ、１２Ｂはそれぞれ断面略コ字型の素板１２１Ａ、１２１Ｂと素板１２２Ａ、１２２Ｂにより形成される。素板１２１Ａ、１２１Ｂと素板１２２Ａ、１２２Ｂはそれぞれ桁素材７Ａ、７Ｂの接合されるべき端部両側に套設され、軸部１２３により軸支される。この蝶番半体１２Ａ、１２Ｂはボルトナットや木ネジなどで桁素材７Ａ、７Ｂに固着される。
【００２０】
図４は桁材７Ａ、７Ｂを伸ばして梯子桁７を構成した状態を示すもので、蝶番１２の上下に掛渡して中間手摺１１が装着される。この中間手摺１１は、梯子本体５の昇り降りの中間での安全性の確保と接合部分の補強並びに梯子本体５の収納時の操作ハンドルを兼ねるものである。
【００２１】
この梯子本体５は図１に示すように階下の床面１と階上の床面２との間で昇り降りするのに用いられるものであり、壁面３の上部または床面２の前端部に梯子本体５の横幅外寸よりもやや長寸のパイプ４２を図７のようにブラケット４１、４１間に掛渡して形成される支持部４が設置され、梯子本体５の上端部がこの支持部４にスライド自在に連結される。この支持部４は２箇所に分けて設けても構わない。
【００２２】
他方梯子本体５の上方部には、両側上面側に上部手摺９を配設すると共に、両側下面側（斜めに設置して昇り降りに使用する状態で下になる側）には略コ字型に屈曲されたパイプ材をガイド８として装着される。このガイド８は図８のように予め上部手摺９と一体的に接合しておくと、施工現場等での組立て作業が簡略化されて好ましい。そして図６のようにこのガイド８に上記支持部４のパイプ４２を挿通支持させることにより、梯子本体５は前記壁面３に対して斜めに立て掛けた状態から略垂に収納する間で任意の角度に回動自在に連結される。
【００２３】
更に支持部４とガイド８の下端部との間には梯子本体５の上端部の下面側に沿ってバネ６が掛けられて梯子本体５を常に上方へ引上げるバネ力が付勢される。このとき、図８のようにガイド８の下部には必要に応じて凹みや孔などの係止部１８が施されれ、バネ６の下端が保持される。
【００２４】
本発明はロフト用の梯子としての用途の他、天井裏収納室に昇り降りする梯子や地下室に対して昇り降りする梯子、或いは２段ベッドに昇り降りする梯子等としても用いることができる。
【００２５】
また、図９のように壁面３の適所又は、梯子本体５の設置場所が開口であればその開口の上縁（鴨居等）と、梯子本体５の適所又はガイド８或いは上部手摺９との間をリンク１９で連結することができる。この場合、梯子本体５と壁面３とがリンク１９で連結されるが、リンク１９と梯子本体５との枢支部Ａがリンク１９と壁面３との枢支部Ｂに比して使用時も含め常に高く位置し、かつ当該リンク１９と梯子本体５との枢支部Ａが梯子本体５の使用姿勢での高さよりも梯子本体５の垂直収納状態での方が高い位置になるように設定される。２０は必要に応じてリンク１９より連出させて、或いは壁面３の軸Ｂより連出して形成されるハンドルである。ハンドル２０の形状は、リンク１９の位置に応じて使い易いものを選定すれば良い。
【００２６】
このようにしておくと、ハンドル２０を図９の矢印方向に回動操作するか、梯子本体５を軽く壁面３に押すと、枢支部Ａが壁面３に近付きながら上方に回動して梯子本体５が引上げられ、図１０のように、梯子桁７の下端が床面１より浮き上がって保持される。この時、枢支部Ａは、枢支部Ｂと支持部４の軸とを結ぶ線上よりもやや壁面３よりに偏って位置して安定する。必要に応じてストッパ２１を壁面３の適所又は、梯子本体５の設置場所が開口に立てかけるときはその開口の上縁（鴨居等）に設けておくと、梯子桁７の下端が床面１より浮き上がってもふら付かず安定して保持される。勿論、ストッパ２１にはロック機能を持たせることもできる。
【００２７】
梯子として使用するときは、ハンドル２０を手前に引き降ろすか、梯子本体５を手前に引き出せば、ガイド８が支持部４をスライドし、リンク１９が回動して梯子本体５が前方に迫り出すと共に、所定の位置で梯子桁７の下端が図９のように床面１に当接して安定するので、梯子を昇り降りすることができる。
【００２８】
図１１から図１３はリンク１９にストッパ機能を持たせた実施例で、リンク１９の壁面３との枢支部Ｂをリンク１９の長孔２２に遊嵌してあり、梯子本体５の使用時は梯子桁７の下端が床面１に当接するため、長孔２２の上端から離れ、下端までの安定した何れかに枢支部Ｂが遊嵌される。
【００２９】
ここで梯子本体５を垂直に起こして壁面３に近づけると、図１０の場合と同様にリンク１９で梯子本体５が引上げられながら壁面３に沿って略垂直に収納される。この時、梯子本体５の収納移動の初期或いは梯子本体５が手で持上げられていると、図１２のように枢支部Ｂは長孔２２の下端に遊嵌されているが、漸次、図１３のように梯子本体５が自重で矢印Ｃのように降下し、最終的に長孔２２の上端で枢支部Ｂが支持されることになる。
【００３０】
ここで梯子本体５が図１３において矢印Ｄ方向に回動しようとすると、リンク１９が枢支部Ｂと長孔２２の上端で遊嵌されているため、リンク１９の下端Ｆが壁面３に当接してストッパの機能を果たす。梯子本体５が逆方向への回動は、梯子本体５の一部またはリンク１９が壁面３に当接するので揺動は規制される。梯子本体５を使用するときは、図１２の状態を経て図１１の状態に戻せば良い。
【産業上の利用可能性】
【００３１】
本発明は、上述のように梯子本体５を支持部４に対して上方に引き上げられるように付勢して、梯子本体５の姿勢変更が労力なしに行えるようにするに当たり、バネ６を梯子本体５の梯子桁７上端部の側下方に装着したので、梯子桁７が溝や長孔等で弱体化される要素が無く、アルミニウムや木材のような部材で梯子桁７を構成した場合でも梯子桁７に強度の劣化を来たすことない。特に昇降時に一番荷重が掛かる梯子本体５の梯子桁７上端部に強度の劣化を来たすことがないので、ロフト用梯子として安全に使用できる利点がある。
【００３２】
また、ガイド８を構成する部材を梯子本体５の上部手摺９の一部に一体的に設けておくと、上部手摺９を装着するだけで梯子桁７にガイド８を併せて設置することができ、施工が簡略となる利点がある。
【００３３】
更に、複数本の部材を接合して梯子桁７を構成し、梯子桁７のその接合部分に掛渡すように中間手摺１１を装着しておくと、昇降時の安全性を向上させると共に、複数の部材の接合部分の補強を中間手摺１１で行なえ、しかも梯子本体５の操作用ハンドルとしても使用できて便利である。また施工状態は長尺であっても、安価な短尺材でコスト低減を図るとともに、搬送や保管時は蝶番１２の部分で折畳めるので扱いが容易となる利点がある。
【００３４】
また、壁面３と梯子本体５の適所又はガイド８或いは上部手摺９や中間手摺１１との間はリンク１９で連結することができる。この場合、梯子本体５側の枢支部Ａが壁面３側の枢支部Ｂに比して常に高く位置し、かつ枢支部Ａの高さが、梯子本体５の使用姿勢での高さよりも梯子本体５の垂直収納状態での高さの方が高い位置になるように設定しておくと、梯子本体５が壁面３に近付いて収納される時はリンク１９により梯子本体５が強制的にやや持ち上げられ、床面１より浮き上がるので、梯子本体５を引き摺って床面１を傷つけたり、収納時に置き跡を着けたりする惧れもない。
【００３５】
しかも、リンク１９と梯子本体５との枢支部Ａがリンク１９と壁面３との枢支部Ｂに比して常に高く位置しているので、収納する際に梯子本体５を手前に引き出す必要がなく、梯子本体５を壁面３方向に押すように軽く操作することができて、比較的小さな子供でも操作が容易である。
【００３６】
更にリンク１９の壁面３との枢支部Ｂを長孔２２に遊嵌し、収納状態でリンク１９の下端Ｆが壁面３に当接することにより回動が規制されるようにしておくと、収納状態で梯子桁７の下端が床面１より浮上しているにも拘らず、梯子本体４がふら付かず安全性が向上する。
【図面の簡単な説明】
【００３７】
【図１】本発明の一実施例の使用状態の側面図。
【図２】同上の収納状態の側面図。
【図３】同上の梯子桁の接合部分の折畳んだ状態の一部省略図であって、（ａ）は側面図、（ｂ）は（ａ）のＡ矢視図。
【図４】同上の梯子桁の接合部分の施工状態の一部省略図であって、（ａ）は側面図、（ｂ）は（ａ）のＢ矢視図。
【図５】同上の分解斜視図。
【図６】同上の支持部付近の拡大側面図。
【図７】同上の支持部の拡大斜視図。
【図８】同上の上部手摺とガイドの拡大側面図。
【図９】本発明の他の実施例の一部省略した使用状態の側面図。
【図１０】同上の一部省略した収納状態の側面図。
【図１１】同上の他の実施例の使用状態を示す一部省略した側面図。
【図１２】同上の折り畳む過程の途中を示す側面図。
【図１３】同上のストッパ機能を示す側面図。
【符号の説明】
【００３８】
１  階下の床面
２  階上の床面
３  壁面
４  支持部
５  梯子本体
６  バネ
７  梯子桁
７Ａ、7Ｂ  桁素材
８  ガイド
９  上部手摺
１０  踏み板
１１  中間手摺
１９  リンク
２２  長孔
Ａ  枢支部
Ｂ  枢支部
【図１】
2006183259.tif 000003
【図２】
2006183259.tif 000004
【図３】
2006183259.tif 000005
【図４】
2006183259.tif 000006
【図５】
2006183259.tif 000007
【図６】
2006183259.tif 000008
【図７】
2006183259.tif 000009
【図８】
2006183259.tif 000010
【図９】
2006183259.tif 000011
【図１０】
2006183259.tif 000012
【図１１】
2006183259.tif 000013
【図１２】
2006183259.tif 000014
【図１３】
2006183259.tif 000015